(57)【特許請求の範囲】
【請求項１】
画像電気信号を生成する画像電気信号生成部と、
前記画像電気信号を画像光信号に変換する第１光電変換部と、前記画像光信号を中継する光ケーブルと、前記光ケーブルによって中継された前記画像光信号を前記画像電気信号に変換する第２光電変換部とを有する中継部と、
画像表示素子と、前記中継部によって中継された前記画像信号に基づいて前記画像表示素子を制御して前記画像表示素子によって画像表示する制御部とからなる画像表示部と、を含む画像表示装置であって、
前記画像表示部は縫製服地の任意の位置に着脱自在であり、
前記光ケーブルは、光ファイバと前記光ファイバに沿って配置されて前記縫製服地によって生ずる静電気を吸収するアース線とからなることを特徴とする画像表示装置。
【請求項２】
前記光ファイバと前記アース線とは、互いに撚り合わされていることを特徴とする請求項１記載の画像表示装置。
【請求項３】
前記画像表示素子は、屈曲自在な有機エレクトロルミネッセンス画像表示素子であることを特徴とする請求項１または２に記載の画像表示装置。
【請求項４】
前記画像電気信号生成部は、前記縫製服の地任意の位置に着脱自在であることを特徴とする請求項１乃至３のいずれか一に記載の画像表示装置。
【請求項５】
前記アース線は、カーボンファイバであることを特徴とする請求項１乃至４のいずれか一に記載の画像表示装置。
【請求項６】
前記光ケーブルは、前記縫製服地に縫込まれることを特徴とする請求項１乃至５のいずれか一に記載の画像表示装置。
【発明の詳細な説明】
【０００１】
【発明の属する技術分野】
本発明は、光ファイバを使用して信号通信を行う画像表示装置に関する。
【０００２】
【従来技術】
近年、有機エレクトロルミネッセンス表示素子において屈曲自在な素子が開発され、画像表示素子の取付け位置の制限は狭まりつつある。例えばオプトロニクス（２００１）No．３の１２２頁から１２６頁に記載の有機エレクトロルミネッセンス表示パネルを被服等の可撓性を有する装着部材の所定個所に装着することを本出願人は特願２００１−１０６０１１号によって提示した。
【０００３】
【発明が解決しようとする課題】
この表示パネルに複雑で且つ様々な画像を表示するには、駆動部から表示パネルへ高速に且つ大量に画像データを送信する手段が必要となる。
この送信手段としては、外部ノイズの混入を回避するために光ファイバを使用する方法が考えられる。しかし、表示パネル及びデータ処理装置が衣服の離間した位置に装着され各々を光ファイバにより接続される場合、衣服の摩擦等により発生した静電気が光ファイバケーブルを伝導することとなり、各装置の電子回路等に重大な損傷を与えることが判明した。
【０００４】
そこで本発明は、上記問題の無い画像表示パネルと駆動部とを光ファイバで接続する画像表示装置を提供することを目的とする。
【０００５】
【課題を解決するための手段】
本発明による画像表示装置は、画像電気信号を生成する画像電気信号生成部と、前記画像電気信号を画像光信号に変換する第１光電変換部と、前記画像光信号を中継する光ケーブルと、前記光ケーブルによって中継された前記画像光信号を前記画像電気信号に変換する第２光電変換部とを有する中継部と、画像表示素子と、前記中継部によって中継された前記画像信号に基づいて前記画像表示素子を制御して前記画像表示素子によって画像表示する制御部とからなる画像表示部と、を含む画像表示装置であって、前記画像表示部は縫製服地の任意の位置に着脱自在であり、前記光ケーブルは、光ファイバと前記光ファイバに沿って配置されて前記縫製服地によって生ずる静電気を吸収するアース線とからなることを特徴とする。
【０００６】
【発明の実施の形態】
以下、本発明の実施例について添付図面に基づいて説明する。なお、本明細書中及び図面中に記載した同一の素子は共通の参照番号とする。
図１に示した本発明の第１実施例である有機エレクトロルミネッセンス（以下有機ＥＬと称す）画像表示装置１は、画像電気信号生成部２と中継部３と有機ＥＬ画像表示部４とを含んでいる。
【０００７】
画像電気信号生成部２は、表示画像データ等を入出力する送受信部６、入力部８、記憶部９と、表示画像データ等を処理するデータ処理回路７とを含む駆動装置である。送受信部６は、アンテナ５を介して通信信号を送受信し、データ処理回路７との間で送受信データの入出力を行う。キーボード等の入力装置からなる入力部８は、データ処理回路７に様々な動作モードを実行するための指令信号を送る。記憶部９は、例えば記憶媒体としてＩＣカード等を用いることで、ＩＣカードに記憶されているデータを読み出してデータ処理回路７へ送信したり、データ処理回路７から送信されたデータをＩＣカードに書き込むことが可能である。
【０００８】
なお、図１示す如く、スピーカ駆動回路１０を設けておき、送受信部６から受け取った受信データの内容が音声データであるときには、スピーカ駆動回路１０にその音声データを転送し、音声データをアナログ信号に変換した後、アナログ信号をスピーカ１１に供給して、音声再生することとしても良い。またマイクロフォン１３を設けておき、外部音声をマイクロフォン１３によって音声信号に変換し、音声信号をマイクロフォン駆動回路１２に転送して音声信号をデジタル信号に変換した後、データ処理回路７へ送り、送受信部６からアンテナ５を介して通信信号として送信、記憶部９に音声データとして書込み、スピーカ駆動回路１０を介してスピーカ１１での再生、などとしても良い。この形態を取ることにより、発光パネルを含む駆動装置を携帯電話として利用することも可能となる。スピーカ１１に代えてヘッドホン等を接続して音声を再生することもできる。
【０００９】
また、必ずしもアンテナ５、送受信部６、及び、入力部８を設ける必要は無く、記憶部９に記憶されている画像データのみを用いて画像を表示することとしてもよい。
中継部３は、第１光電変換器１４と光ファイバ１５とアース線１６と第２光電変換器１７とを含んでいる。
【００１０】
第１光電変換器１４は、データ処理回路７で生成された並列な電気パルス信号を直列な光パルス信号に変換し、光パルス信号を中継部４の光ファイバ１５に入射する。第１光電変換器１４は、例えば光通信用ＬＥＤを光源として含み得る。
【００１１】
光ファイバ１５は、プラスチック光ファイバ（ＰＯＦ）又は石英光ファイバのものとされ得る。
【００１２】
アース線１６は、導電性の材質のものが使用され、例えばカーボン線、導電性樹脂又は金属線とされる。アース線１６は、画像電気信号生成部２、有機ＥＬ画像表示部４、第１光電変換器１４、第２光電変換器１７の何れかの配線パターンを介してアースさせることが出来る。これによって、図１に示した画像表示装置を被服に装着した場合、被服の擦れ等によって発生した静電気を除電するものとする。
【００１３】
アース線１６は、光ファイバ１５と撚り線にされ、生地に織り込まれ得る。例えば図３の（ａ）〜（ｆ）に示す如き形態である。図３（ａ）は光ファイバ１５とアース線１６を平行線に配置して被覆材２７で覆う形態である。図３（ｂ）は光ファイバ１５の周囲にアース線１６を巻き付けて被覆材２７で覆う形態である。図３（ｃ）は光ファイバ１５を中心にして膜状のアース線１６を囲繞させて被覆材２７で覆う形態である。図３（ｄ）は光ファイバ１５とアース線１６を交互に撚り合わせて被覆材２７で覆う形態である。図３（ｅ）は光ファイバ１５と２本のアース線１６を相互に撚り合わせて被覆材２７で覆う形態である。図３（ｆ）は光ファイバ１５と平面状のアース線１６によって挟んで被覆材２７で覆う形態である。
【００１４】
被覆材２７は、ポリエチレン（ＰＥ）ポリ塩化ビニル（ＰＶＣ）、ポリプロピレン（ＰＰ）等の材料を使用し得る。
なお、光ファイバ１５とアース線１６とは、必ずしも撚り線にする必要はなく、アース線１６は光ファイバ１５に沿って配置されていれば良い。
第２光電変換器１７は、光ファイバ１５によって送信された光パルス信号を受光して、この光パルス信号を並列な電気パルス信号に変換する。例えば、ＳｉのＰＩＮフォトダイオード又はＩｎＧａＡｓのＰＩＮフォトダイオード等のＰＩＮフォトダイオードが受光素子として使用され得る。また、これに限定されるものではなく、アバランシェフォトダイオード（ＡＰＤ）としても良く、例えばＳｉのＡＰＤ、ＩｎＧａＡｓのＡＰＤを使用するのも良い。
【００１５】
有機ＥＬ画像表示部４は、画像表示制御回路１８と屈曲自在な有機ＥＬパネル素子１９とデータドライバ２１と走査ドライバ２０とを含んでいる。
画像表示制御回路１８は、光ファイバ１５を介して送信されたデータ処理回路７からの動作コマンドに応答して、画像データを同期信号とともに受信して、有機ＥＬパネル素子１９を制御して、画像表示を行う。
【００１６】
屈曲自在な有機ＥＬパネル素子１９は、例えば本出願人による特願２０００−２９１１２５号、特願２０００−０６７１８４号、特願２０００−０６７１８６号等に記載された如き透明且つ可撓性を有する樹脂基板上に有機エレクトロルミネッセンス層等の発光層とこれを挟んで互いに交差するデータ電極群及び走査電極群とを設けた画像表示パネルである。
【００１７】
有機ＥＬパネル素子１９は、走査ドライバ２０及びデータドライバ２１と接続している。走査ドライバ２０は、画像表示制御回路１８から供給される走査トリガパルスＴｓに同期して走査電極群の各電極に順次走査パルスを印加して走査ドライバとして作用する。データドライバ２１には、画像表示制御回路１８からデータトリガパルスＴｄの他に駆動データが供給される。駆動データは、各走査ラインに対応する１ライン画像データ毎にデータドライバ２１に供給される。データドライバ２１は、データトリガパルスＴｄに同期して供給される１ライン画像データに対応した電圧若しくは電流をデータ電極群の各電極に供給するのである。
【００１８】
なお、図１に示した、画像電気信号生成部２の送受信部６、データ処理回路７、記憶部９、スピーカ駆動回路１０、マイクロフォン駆動回路１２、及び有機ＥＬ画像表示部４の画像表示制御回路１８、走査ドライバ２０、データドライバ２１については、例えば特開平１１−２６３０９１号公報または特開２０００−２７７６８３号公報に記載された如き屈曲自在な基板を有するＩＣによって形成され得る。
【００１９】
また実施例中の表示パネルは、有機ＥＬ表示素子を使用するものとしたが、これに限定されるものではなく、液晶表示素子、プラズマディスプレイパネル等の表示素子が使用され得る。
図２に示した本発明の第２実施例である有機ＥＬ画像表示装置２２は、画像電気信号生成部２３と中継部２４、２４’と有機ＥＬ画像表示部２５とを含んでいる。
【００２０】
画像電気信号生成部２３は、表示画像データ等を入出力する送受信部６、入力部８、記憶部９と、表示画像データ等を処理及び制御するデータ処理回路７、画像表示回路１８、走査ドライバ２０、データドライバ２１とを含む駆動装置である。送受信部６は、アンテナ５を介して通信信号を送受信し、データ処理回路７との間で送受信データの入出力を行う。キーボード等の入力装置からなる入力部８は、データ処理回路７に様々な動作モードを実行するための指令信号を送る。記憶部９は、例えば記憶媒体としてＩＣカード等を用いることで、ＩＣカードに記憶されているデータを読み出してデータ処理回路７へ送信したり、データ処理回路７から送信されたデータをＩＣカードに書き込むことが可能である。
【００２１】
なお、図２に示す如く、スピーカ駆動回路１０を設けておき、送受信部６から受け取った受信データの内容が音声データであるときには、スピーカ駆動回路１０にその音声データを転送し、音声データをアナログ信号に変換した後、アナログ信号をスピーカ１１に供給して、音声を再生する。外部音声をマイクロフォン１３によって音声信号に変換し、音声信号をマイクロフォン駆動回路１２に転送して音声信号をデジタル信号である音声データに変換した後、データ処理回路７へ送り、送受信部１２からアンテナ５を介して通信信号として送信する。この音声データを記憶部９に書込むことも出来る。更に、音声データは、スピーカ駆動回路１０を介してスピーカ１１によって再生しても良い。この形態を取ることにより、発光パネルを含む駆動装置を携帯電話として利用することも可能となる。スピーカ１１に代えてヘッドホンを用いることもできる。
【００２２】
また、必ずしもアンテナ５、送受信部６、及び、入力部８を設ける必要は無く、記憶部９に記憶されている画像データのみを用いて画像を表示することとしてもよい。
画像表示制御回路１８は、データ処理回路７からの動作コマンドに応答して、画像データを同期信号とともに受信して、有機ＥＬパネル素子１９を制御して、画像表示を行う。
【００２３】
走査ドライバ２０は、画像表示制御回路１８から供給される走査トリガパルスＴｓに同期して走査電極群の各電極に順次走査パルスを印加して走査ドライバとして作用する。データドライバ２１には、画像表示制御回路１８からデータトリガパルスＴｄの他に駆動データが供給される。駆動データは、各走査ラインに対応する１ライン画像データ毎にデータドライバ２１に供給される。データドライバ２１は、データトリガパルスＴｄに同期して供給される１ライン画像データに対応した電圧若しくは電流をデータ電極群の各電極に供給する。
【００２４】
なお、図２に示した、画像電気信号生成部２３の送受信部６、データ処理回路７、記憶部９、スピーカ駆動回路１０、マイクロフォン駆動回路１２、画像表示制御回路１８、走査ドライバ２０、データドライバ２１については、例えば特開平１１−２６３０９１号公報または特開２０００−２７７６８３号公報に記載された如き屈曲自在な基板を有するＩＣによって形成され得る。
【００２５】
中継部２４は、走査ドライバ２０からの走査データをパネル１９の走査入力端子に中継する。中継部２４は、第１光電変換器１４と光ファイバ１５とアース線１６と第２光電変換器１７とを含んでいる。中継部２４’は、データドライバ２１からのラインデータを順次パネル１９のラインデータ入力端子に中継する。中継部２４’は、第１光電変換器１４’と光ファイバ１５’とアース線１６’ 第２光電変換器１７’とを含んでいる。
【００２６】
第１光電変換器１４は、走査ドライバ２０で生成された並列な走査パルス信号を直列な光パルス信号に変換し、光パルス信号を中継部２４の光ファイバ１５に入射する。第１光電変換器１４’は、データドライバ２１で生成された並列なデータパルス信号を直列な光パルス信号に変換し、光パルス信号を中継部２４’の光ファイバ１５’に入射する。
【００２７】
光ファイバ１５は、アース線１６、１６’によって接地され得るようになっている。アース線１６、１６’は、導電性の材質のものが使用され、例えばカーボン線、導電性樹脂又は金属線とされる。アース線１６、１６’は図示していない適切な手段により接地されている。
【００２８】
第２光電変換器１７、１７’は、光ファイバ１５、１５’によって送信された直列な光パルス信号を受光し、光パルス信号を並列なパルス信号に変換する。
第２光電変換器１７、１７’は、変換した並列パルス信号を屈曲自在な有機ＥＬパネル素子１９のデータ電極群及び走査電極群に各々データパルス及び走査パルスとして供給する。
【００２９】
屈曲自在な有機ＥＬパネル素子１９は、例えば本出願人による特願２０００−２９１１２５号、特願２０００−０６７１８４号、特願２０００−０６７１８６号等に記載された如き透明且つ可撓性を有する樹脂基板上に有機エレクトロルミネッセンス層等の発光層とこれを挟んで互いに交差するデータ電極群及び走査電極群とを設けた画像表示パネルである。
【００３０】
本発明による有機ＥＬ画像表示装置は、例えば図４に示す如く、被服に装着することが可能であり、袖部に画像電気信号生成部２又は２３が装着され、胸部に有機ＥＬ画像表示部４又は２５が装着され、中継部３又は２４、２４’が衣服の生地に織り込まれて駆動部と表示部とを接続している。この場合アース線１６、１６’は、光ファイバ１５、１５’撚り線にされ、生地に織り込まれ得る。
中継部３又は２４、２４’は、服地２８の繊維層の内部に埋め込まれる形態に限定されず、クリップなどにより服地２８の表面に取り付けられても良い。なお、中継部３又は２４、２４’は服地２８の様々な位置に設けることができ、図４に示す形態に限定されるものではない。
【００３１】
また画像電気信号生成部２（又は２３）及び有機ＥＬ画像表示部４（又は２５）は、図４に示す如き位置に限定されるものではなく、ファッション性を考慮して様々な位置に設けることができる。更には、このように種々の位置に発光パネルを取り付け得ることにより、例えば、被服の袖部分に発光パネルを取り付けたものを作業現場などで使用した場合には、発光パネルに作業手順を表示させながら作業を行うことができ、また、被服の背面部等に発光パネルを取り付け、広告に関する画像を表示することにより、被服そのものを広告媒体として利用したりすることができるなど、様々な用途への使用も考えられる。
【００３２】
【発明の効果】
本発明によれば、服地の摩擦等によって発生した静電気が光ファイバに沿って配置されたアース線によって吸収されるので、光ファイバに接続された電子回路等に過電圧が印加されることを防止する。
【図面の簡単な説明】
【図１】  画像電器信号生成部と有機ＥＬ画像表示部とをアース線が設けられた光ファイバケーブルで接続した場合を示すブロック図である。
【図２】  駆動部とフラットパネルをアース線が設けられた光ファイバで接続した場合を示すブロック図である。
【図３】光ファイバとアース線を撚り合わせ方を示す斜視図である。
【図４】駆動部と有機ＥＬ画像表示部とを衣服に装着した場合を示す概観図である。
【符号の説明】
１、２２  有機ＥＬ画像表示装置
２、２３  画像電気信号生成部
３、２４  中継部
４、２５  有機ＥＬ画像表示部
７  データ処理回路
１４、１４’  第１光電変換器
１５、１５’  光ファイバ
１６、１６’  アース線
１７、１７’  第２光電変換器
１８  画像表示制御回路
１９  有機ＥＬパネル素子
２８  服地
【図１】
0003829983.tif 000002
【図２】
0003829983.tif 000003
【図３】
0003829983.tif 000004
【図４】
0003829983.tif 000005